(57)【要約】【課題】建築物の枠体に配置されて簡易な構造で変形に対して柔軟に復元力を与えられ、劣化しにくく、低コストの耐震補強具および戸建て住宅用建築物の耐震構造を提供する。【解決手段】複数の矩形の板スプリングが厚さ方向に積層されて形成され、建築構造材の角をなすそれぞれの枠体内面に板スプリングの長手方向の端面がそれぞれ接触するように斜めに配置される板スプリング積層体１６と、板スプリング積層体とＴ字を成すように一端が板スプリング積層体と接続され、他端が板スプリング積層体が配置された枠体の角の対角側の枠体内面に接触する剛性棒材１８と、板スプリング積層体と剛性棒材とを搖動可能に接続する接続部材２０とを備え、耐震補強具は、板スプリング積層体の弾性力により押圧されて枠体内面と接触し、板スプリング積層体と枠体内面との接触部は、それぞれが接触する建築構造材の初期位置から角に近づく方向に一定の範囲でスライド可能である。【選択図】図１
2018044296.tif 000002
【特許請求の範囲】
【請求項１】
建築構造材によって形成された矩形状の枠体に配置される耐震補強具であって、
複数の矩形の板スプリングが厚さ方向に積層されて形成され、前記建築構造材の角をなすそれぞれの枠体内面に前記板スプリングの長手方向の端面がそれぞれ接触するように斜めに配置される板スプリング積層体と、
前記板スプリング積層体とＴ字をなすように一端が前記板スプリング積層体と接続され、他端が前記板スプリング積層体が配置された枠体の角の対角側の枠体内面に接触する剛性棒材と、
前記板スプリング積層体と前記剛性棒材とを搖動可能に接続する接続部材と、を備え、
前記板スプリング積層体と前記剛性棒材は、前記建築構造材と固着されることなく前記板スプリング積層体の弾性力により押圧されて枠体内面と接触し、
前記板スプリング積層体と枠体内面との接触部は、それぞれが接触する前記建築構造材の初期位置から角に近づく方向に一定の範囲でスライド可能であり、
前記剛性棒材と枠体内面との接触部は、接触する前記建築構造材の初期位置から鉛直下向きに一定の範囲でスライド可能であり、
前記耐震補強具は建築物を構成する２以上の枠体に反対向きに配置され、２つで一対として使用される、ことを特徴とする耐震補強具。
【請求項２】
前記板スプリング積層体と前記剛性棒材の枠体外への動きを制限するガード部材をさらに備えることを特徴とする請求項１記載の耐震補強具。
【請求項３】
請求項１または請求項２記載の耐震補強具を組み込んでいることを特徴とする戸建て住宅用建築物の耐震構造。
【発明の詳細な説明】
【技術分野】
【０００１】
本発明は、戸建て住宅用建築物の枠体に配置される耐震補強具および戸建て住宅用建築物の耐震構造に関する。
【背景技術】
【０００２】
中低層の戸建て住宅用建築物の耐震性を高めるために、建築構造材によって形成された枠体内に筋交いを設けることが通常行われる。また、さらに耐震性を高めるために、建築構造材によって形成された枠体内に制震機能を有する耐震補強具を組み込んで、地震の振動を低減しつつ建築物の耐震性を高める構造が提案されている。
【０００３】
枠体内に耐震補強具を組み込む場合、耐震補強具のための新たな空間を必要としないので、狭小な土地に建つ建築物にも使用できる。また、リフォームなどで後から耐震補強具を設置する際にも、間取り等を変更する必要がない。
【０００４】
特許文献１は、筋かいの中央部分に粘弾性体を用いた制振ダンパーを組み込んでいる戸建て住宅用建築物の耐震構造の発明である。
【０００５】
また、特許文献２は、２本の筋交いとそれに接続される座屈防止部材からなる耐震構造で、座屈防止部材の両端に粘弾性体を用いた制震装置を設けた木造建築物の耐震構造の発明である。
【先行技術文献】
【特許文献】
【０００６】
【特許文献１】特開２０００−１１０３９９号公報
【特許文献２】特開２０００−３５２２１８号公報
【発明の概要】
【発明が解決しようとする課題】
【０００７】
戸建て住宅用建築物の枠体内に耐震補強具を組み込んで耐震性を高める場合、耐震補強具が枠体内にあるため長年メンテナンスされないことから、耐震補強具自体が劣化し、耐震性が低くなることが問題となる。特許文献１も特許文献２も、粘弾性体の弾性力により制震機能を発揮させているため、粘弾性体が劣化すると耐震性が低くなるので、定期的にメンテナンスしたり、劣化が激しい場合は耐震補強具を付け替えたりしなくてはならない。
【０００８】
粘弾性体は、温度や湿度の変化に弱いので、温度や湿度の変化が激しい環境下で耐震補強具を使用するときは、粘弾性体の弾性力により制震機能を発揮させるような耐震補強具は好ましくない。
【０００９】
本発明は、このような事情に鑑みてなされたものであり、簡易な構造で建築物の枠体に配置されて枠体の変形に対して柔軟に復元力を与えられ、劣化しにくく、低コストの耐震補強具および戸建て住宅用建築物の耐震構造を提供することを目的とする。
【課題を解決するための手段】
【００１０】
（１）上記の目的を達成するため、本発明の耐震補強具は、建築構造材によって形成された矩形状の枠体に配置される耐震補強具であって、複数の矩形の板スプリングが厚さ方向に積層されて形成され、前記建築構造材の角をなすそれぞれの枠体内面に前記板スプリングの長手方向の端面がそれぞれ接触するように斜めに配置される板スプリング積層体と、前記板スプリング積層体とＴ字をなすように一端が前記板スプリング積層体と接続され、他端が前記板スプリング積層体が配置された枠体の角の対角側の枠体内面に接触する剛性棒材と、前記板スプリング積層体と前記剛性棒材とを搖動可能に接続する接続部材と、を備え、前記板スプリング積層体と前記剛性棒材は、前記建築構造材と固着されることなく前記板スプリング積層体の弾性力により押圧されて枠体内面と接触し、前記板スプリング積層体と枠体内面との接触部は、それぞれが接触する前記建築構造材の初期位置から角に近づく方向に一定の範囲でスライド可能であり、前記剛性棒材と枠体内面との接触部は、接触する前記建築構造材の初期位置から鉛直下向きに一定の範囲でスライド可能であり、前記耐震補強具は建築物を構成する２以上の枠体に反対向きに配置され、２つで一対として使用されることを特徴としている。
【００１１】
これにより、耐震補強具は２つで一対として使用されるので、枠体の左右どちらから力が加わったとしても、一方の耐震補強具の板スプリング積層体はスライドすることなく弾性変形し、弾性力で接触する建築構造材を押し返し元に戻る。このとき、その板スプリング積層体に接続される剛性棒材は枠体に接触しながらスライドし、接触する建築構造材に力を加えない。また、他方の耐震補強具の剛性棒材はスライドすることなくその剛性棒材に接続される板スプリング積層体を押して、板スプリング積層体が弾性変形し、弾性力で剛性棒材を押し返し、剛性棒材が接触する建築構造材を押し返し元に戻る。このとき、その板スプリング積層体は角方向にスライドしながら弾性変形するので、枠体の変形に追従しながら復元力を与える。つまり、耐震補強具は２つで一対として使用され、それぞれの板スプリング積層体と剛性棒材が押圧されつつ一定の範囲で動くことができるので、板スプリング積層体の弾性力で地震の振動を吸収することができるとともに、枠体の変形を防止することができる。また、制震機能を発揮する部分に板スプリング積層体を使用しているので、制震機能の劣化を低減でき、長年使用することができる。
【００１２】
（２）また、本発明の耐震補強具は、スプリング積層体と剛性棒材の枠体外への動きを制限するガード部材をさらに備えることを特徴としている。これにより、板スプリング積層体と剛性棒材が枠体外へ外れなくなり、強い振動を受けた際にも耐震補強具としての機能を発揮することができる。
【００１３】
（３）また、本発明の戸建て住宅用建築物の耐震構造は、上記（１）または（２）に記載の耐震補強具を組み込んでいることを特徴としている。これにより、簡易な構造で変形に対して柔軟に復元力を与えられ、劣化しにくく、低コストの耐震補強具を組み込んだ、耐震性の高い戸建て住宅用建築物を提供することができる。
【発明の効果】
【００１４】
本発明によれば、耐震補強具は２つで一対として使用され、それぞれの板スプリング積層体と剛性棒材が押圧されつつ一定の範囲で動くことができるので、板スプリング積層体の弾性力で地震の振動を吸収することができるとともに、枠体の変形を防止することができる。また、制震機能を発揮する部分に板スプリング積層体を使用しているので、制震機能の劣化を低減でき、長年使用することができる。
【図面の簡単な説明】
【００１５】
【図１】（ａ）は、本発明の耐震補強具および耐震補強具が組み込まれた枠体の一例を示す模式図である。（ｂ）は、本発明の耐震補強具を示す模式図である。
【図２】（ａ）は、耐震補強具を組み込む向きを反対にした枠体の一例を示す模式図である。（ｂ）、（ｃ）は、いずれも、本発明の耐震補強具が組み込まれた枠体の別の例を示す模式図である。
【図３】（ａ）、（ｂ）いずれも、板スプリング積層体の模式図である。
【図４】（ａ）〜（ｅ）いずれも、接続部材の構造を示す模式図である。
【図５】（ａ）、（ｂ）いずれも、スライド制限構造とガード部材の例を示す模式図である。
【図６】スライド制限構造とガード部材が設けられ、耐震補強具が組み込まれた枠体の一例を示す模式図である。
【図７】（ａ）、（ｂ）いずれも、一方の耐震補強具に板スプリング積層体側から剛性棒材側に力がかかったときの力の方向と板スプリング積層体の変形の様子を示す模式図である。
【図８】（ａ）、（ｂ）いずれも、一方の耐震補強具に剛性棒材側から板スプリング積層体側に力がかかったときの力の方向と板スプリング積層体の変形の様子を示す模式図である。
【発明を実施するための形態】
【００１６】
次に、本発明の実施の形態について、図面を参照しながら説明する。説明の理解を容易にするため、各図面において同一の構成要素に対しては同一の参照番号を付し、重複する説明は省略する。
【００１７】
［耐震補強具の構造］
図１（ａ）は、本発明の耐震補強具および耐震補強具が組み込まれた枠体の一例を示す模式図である。図１（ａ）に示すように、一方の耐震補強具１０は、２本の柱１２と柱１２、１２の間にわたされた２本の梁１４（建築構造材１１）によって形成された矩形状の枠体に組み込まれている。そして、他方の耐震補強具１０は、一方の耐震補強具１０が組み込まれた枠体と同じ一面をなす別の枠体に反対向きに配置され、２つの耐震補強具１０で一対として使用される。「反対向き」とは、耐震補強具１０が押圧する向きの水平成分が反対であることをいう。図１（ａ）では、２つの耐震補強具１０は隣接する枠体に配置されているが、配置される枠体が離れていてもよい。また、建築物の一面をなす枠体が４以上あるときは、耐震補強具１０を二対以上配置してもよい。このとき、耐震補強具１０は、スライド制限構造により所定の方向に一定の範囲でスライド可能となる様に、建築構造材の初期位置に押圧されて組み込まれている。スライド制限構造の例については、後述する。
【００１８】
図１（ｂ）は、本発明の耐震補強具を示す模式図である。図１（ａ）、（ｂ）に示すように、耐震補強具１０は、板スプリング積層体１６と剛性棒材１８と接続部材２０とからなる。板スプリング積層体１６は、柱１２と梁１４によって形成された角（枠体の角）をなすそれぞれの枠体内面に長手方向の端面がそれぞれ接触するようにかつ、その長手方向が枠体内面に対し、斜めになるように配置されている。
【００１９】
剛性棒材１８は、板スプリング積層体１６とＴ字をなすように一端が板スプリング積層体１６と接続部材２０によって搖動可能に接続されている。この接続位置は、力の伝達や板スプリング積層体１６の変形を向上するためには、板スプリング積層体１６の長手方向を３等分したうちの中央の範囲に収まることが好ましい。また、板スプリング積層体１６と剛性棒材１８とが接続される角度は、９０°に近いほうが好ましい。
【００２０】
剛性棒材１８の他端は、板スプリング積層体１６が配置された枠体の角の対角側の枠体内面に接触している。対角側とは、対角または対角をなす２辺のうち鉛直方向の辺のことである。剛性棒材１８は、対角で２辺をなす枠体の内側の両方の面に接触していてもよいし、対角をなす２辺のうち鉛直方向の辺をなす枠体の内側の面だけに接触していてもよい。
【００２１】
図２（ａ）は、耐震補強具１０を組み込む向きを反対にした枠体の一例を示す模式図である。耐震補強具１０を２つで一対として組み込む向きは、図１（ａ）のような向きでもよいし、図２（ａ）のような向きでもよい。
【００２２】
図２（ｂ）、（ｃ）は、耐震補強具１０が組み込まれた枠体の別の例を示す模式図である。ただし、一方の耐震補強具１０が組み込まれた枠体のみ示している。板スプリング積層体１６が枠体内面に配置される角度２２や、板スプリング積層体１６と剛性棒材１８とが接続される位置や角度、剛性棒材１８の他端が対角側の枠体内面に接触する位置などが図１（ａ）とは異なる例である。板スプリング積層体１６が枠体内面に配置される角度２２は、図１（ａ）の模式図では４５°であるが、剛性棒材１８と接続する位置や角度との兼ね合いで、板スプリング積層体１６の弾性力が建築構造材１１や剛性棒材１８に十分に伝わる範囲であれば、図２（ｂ）のように４５°でなくてもよい。
【００２３】
［板スプリング積層体の構造］
図３（ａ）、（ｂ）は、板スプリング積層体１６の模式図である。図３（ａ）、（ｂ）に示すように、板スプリング積層体１６は、複数の板スプリング３０が積層されて形成されている。複数の板スプリング３０の長手方向の端面によってできる板スプリング積層体１６の長手方向の端面は、板スプリング積層体１６を枠体に斜めに配置したとき、枠体の角をなすそれぞれの建築構造材１１の枠体内面にそれぞれ接触するように形成されている。したがって、板スプリング積層体１６の長手方向の２つの端面は、その端面自体を延長すると互いに垂直に交わる平面をなしている。また、板スプリング積層体１６の長手方向に平行な側面は、台形状になっている。なお、板スプリング積層体１６の長手方向に平行な側面とは図１（ａ）に表れている面のことである。
【００２４】
板スプリング３０は竹製のものや鋼鉄製のものがよい。竹製の板スプリング３０は、材料が入手しやすく、板スプリング積層体１６を軽量化することができる点で好ましい。鋼鉄製の板スプリング３０は、少ない積層枚数でも十分な弾性力を得ることができる点で好ましい。鋼鉄製の板スプリング３０は、さびにくいものを使用するか、またはさび止め加工をするのが好ましい。
【００２５】
板スプリング積層体１６は、積層された複数の板スプリング３０がバラバラにならないように、積層方向の両端に鉄板３６を配置し、板スプリング３０と鉄板３６に穴をあけてボルト３２とナット３４で固定されている。ボルト３２とナット３４で複数個所を固定するときは、板スプリング積層体１６の弾性変形を妨げないようにする必要がある。また、複数の板スプリング３０を固定する方法は、コ字状の金具で抑えてもよいし、これらの組み合わせでもよい。
【００２６】
［接続部材の構造］
図４（ａ）〜（ｅ）は、接続部材２０の構造を示す模式図である。接続部材２０は、剛性棒材１８側の接続部材（棒側部材４０）と板スプリング積層体１６側の接続部材（板スプリング側部材４２）とからなる。
【００２７】
図４（ａ）、（ｂ）は、棒側部材４０の正面（図１と同じ側）および側面から見た構造を示す模式図である。図４（ａ）、（ｂ）に示すように、棒側部材４０は剛性棒材１８に固定される上部４４と、板スプリング側部材４２と接続される下部４６がある。上部４４は、釘、ボルトとナット、溶接などで剛性棒材１８に固定される。
【００２８】
下部４６には軸４８があり、図４（ａ）に示すように、正面から見て下部４６が丸く形成されている。剛性棒材１８の接続部材２０側の端部は、剛性棒材１８から板スプリング積層体１６に力がかかったときに軸４８に過大な力がかからないように、板スプリング側部材４２に当たる位置にある。その際、剛性棒材１８の接続部材２０側の端部は、棒側部材４０の下部４６と同様に丸く形成されているのがよい。これにより、板スプリング側部材４２と軸４８で接続されたときに軸を中心に搖動可能となる。
【００２９】
図４（ｃ）、（ｄ）は、板スプリング側部材４２の正面および側面から見た構造を示す模式図である。図４（ｃ）に示すように、板スプリング側部材４２は軸４８を通す穴５０があり、棒側部材４０と軸４８で接続されたときに軸４８を中心に搖動可能となる。穴５０は軸４８が抜けない程度に大きく形成されて遊びがあるほうがよい。これにより、剛性棒材１８から板スプリング積層体１６に力がかかったときに、剛性棒材１８から板スプリング側部材４２に直接力が伝わり、軸４８に過大な力がかからない。
【００３０】
板スプリング側部材４２は、釘、ボルトとナット、溶接などで板スプリング積層体１６に固定される。板スプリング３０をボルトとナットで固定している場合は、同じボルトとナットで板スプリング側部材４２を固定すると効率がよい。また、板スプリング積層体１６の積層方向の両端の鉄板３６のうち接続部材４０側の鉄板３６を、板スプリング側部材４２で代用してもよい。図４（ｅ）は、剛性棒材１８を固定した棒側部材４０と、板スプリング積層体１６を固定した板スプリング側部材４２とを接続したときの側面から見た構造を示す模式図である。
【００３１】
［スライド制限構造とガード部材の例］
図５（ａ）、（ｂ）は、スライド制限構造とガード部材の例を示す模式図である。図５（ａ）は、建築構造材１１（柱１２や梁１４）の幅と板スプリング積層体１６や剛性棒材１８の幅（短手方向）がほぼ同じときの例である。板スプリング積層体１６や剛性棒材１８が接触する建築構造材１１の接触面上にストッパー部材５２を設けることでスライド可能方向とスライド可能範囲を制限している。また、建築構造材１１の側面にガード部材５４を設けることで板スプリング積層体１６や剛性棒材１８が枠体外へ外れなくなり、強い振動を受けた際にも耐震補強具１０としての機能を発揮することができる。なお、枠体の両側に壁板を設ける場合で壁板の強度が十分ある場合は、壁板がガード部材５４の役割を果たすので、ガード部材５４を設けなくてもよい。また、ストッパー部材５２はスライド可能範囲の両端に設けてもよい。
【００３２】
図５（ｂ）は、建築構造材１１の幅より板スプリング積層体１６や剛性棒材１８の幅が一定程度短いときの例である。図５（ｂ）に示すように、建築構造材１１の上（接触面）にガード部材５４を設けられる程度に板スプリング積層体１６の幅が短いときは、板スプリング積層体１６や剛性棒材１８のスライド可能範囲を制限するストッパー部材５２と枠体外へ外れなくするガード部材５４を一体化した、ストッパー・ガード部材５６を設けることができる。ストッパー部材５２とガード部材５４を一体化すると、強度が強くなる点で好ましい。ただし、板スプリング積層体１６の幅や剛性棒材１８の幅は弾性力や強度に関わるので、この幅を短くしすぎるのは好ましくない。また、図５（ａ）のようにガード部材５４を建築構造材１１の横（接触面の横の面）に設けるときでも、ストッパー部材５２と一体化することはできる。
【００３３】
図６は、図５（ａ）の例のスライド制限構造とガード部材が設けられ、耐震補強具１０が組み込まれた枠体の一例を示す模式図である。ただし、一方の耐震補強具１０が組み込まれた枠体のみ示している。以下、図７、８も同様である。板スプリング積層体１６が建築構造材１１上を接触しながらスライドしたとき、引っかかったり、建築構造材１１を傷つけたりしないように、板スプリング３０の端面は、角が削られているとよい。
【００３４】
また、板スプリング積層体１６の一定以上の変形を防止する保護部材や、板スプリング積層体１６の剛性棒材１８方向への移動を制限する外れ防止部材を備えていてもよい。このような保護部材や外れ防止部材を設けると、板スプリング積層体１６が強い力を受けた際にも破壊されたり剛性棒材１８方向へ外れたりする恐れが少なくなり、その後の振動に対しても耐震補強具１０としての機能を発揮することができる点で好ましい。
【００３５】
［一方の耐震補強具の力がかかったときの動作］
図７（ａ）、（ｂ）は、一方の耐震補強具１０に、板スプリング積層体１６側から剛性棒材１８側に力がかかったときの板スプリング積層体１６変形の様子を示す模式図である。図７（ａ）、（ｂ）に示すように、板スプリング積層体１６側から剛性棒材１８側に力がかかったときは、板スプリング積層体１６側のスライド制限構造（ストッパー部材５２）により、板スプリング積層体１６はスライドすることなく弾性変形し、弾性力で板スプリング積層体１６側の建築構造材１１を押し返し元に戻る。このとき、剛性棒材１８は建築構造材１１に接触しながらスライドし、建築構造材１１に力を加えない。
【００３６】
なお、板スプリング積層体１６側から力がかかったときに板スプリング積層体１６が剛性棒材１８側に変形しないのは、板スプリング積層体１６と剛性棒材１８が、板スプリング積層体１６が設けられた角方向に押圧されつつ枠体に組み込まれているからである。つまり、耐震補強具１０が初期位置にあるとき、板スプリング積層体１６は板スプリング積層体１６が設けられた角方向に変形した状態で組み込まれている。
【００３７】
図８（ａ）、（ｂ）は、一方の耐震補強具１０に、剛性棒材１８側から板スプリング積層体１６側に力がかかったときの板スプリング積層体１６変形の様子を示す模式図である。図８（ａ）、（ｂ）に示すように、剛性棒材１８側から板スプリング積層体１６側に力がかかったときは、剛性棒材１８側のスライド制限構造（ストッパー部材５２）により、剛性棒材１８はスライドすることなく板スプリング積層体１６を押す。すると、板スプリング積層体１６が弾性変形し、弾性力で剛性棒材１８を押し返し、剛性棒材１８側の建築構造材１１を押し返し元に戻る。このとき、板スプリング積層体１６は角方向にスライドしながら弾性変形するので、枠体の変形に追従しながら復元力を与える。このように、耐震補強具１０は単独であっても、どちら側からの力に対しても枠体に復元力を与えることができる。そして、枠体から建築物全体に力が伝わることとなる。
【００３８】
［一対の耐震補強具］
それぞれの耐震補強具１０は力がかかったとき上記のような動作をする。そして、耐震補強具１０は建築物の一面をなす２以上の枠体に反対向きに配置され、２つで一対として使用される。よって、上記のような動作がそれぞれの耐震補強具１０で起こることで、耐震補強具１０は全体として枠体の変形に追従しながら、単独のときよりも大きな復元力を枠体に与える。つまり、耐震補強具１０は２つで一対として使用され、それぞれの板スプリング積層体１６と剛性棒材１８が押圧されつつ一定の範囲で動くことができるので、板スプリング積層体１６の弾性力で地震の振動を吸収することができるとともに、枠体の変形を防止することができる。
【００３９】
［耐震補強具の組み込み方］
枠体に耐震補強具１０を組み込む初期位置を決める。その初期位置に、スライド制限構造として例えばストッパー部材５２を設ける。ストッパー部材５２には強い力が加わるので、複数のくぎを使うなどして固定の強度を高めるのが好ましい。
【００４０】
次に、枠体の初期位置に組み込んだとき、板スプリング積層体１６が、それが設けられた角方向に変形した状態で組み込まれ、適度な押圧力が生じるような寸法の耐震補強具１０を準備する。
【００４１】
そして、剛性棒材１８を板スプリング積層体１６方向に押し込みながら、板スプリング積層体１６を枠体の初期位置に配置する。さらに強い力を加えながら、剛性棒材１８を初期位置に配置する。力を緩めると、板スプリング積層体１６の弾性力により、板スプリング積層体１６と剛性棒材１８とが押圧された状態で初期位置の枠体内面に接触する。このとき、板スプリング積層体１６や剛性棒材１８と枠体の接触面は接着剤やくぎなどで固定をしない。これにより、耐震補強具１０はスライド可能に設置することができる。このようにして、耐震補強具１０を枠体に組み込む。
【００４２】
［耐震補強具が組み込まれた戸建て住宅用建築物］
戸建て住宅用建築物の壁となる複数の面に、上記のようにして複数対の耐震補強具１０を組み込む。こうすることで、簡易な構造で変形に対して柔軟に復元力を与えられ、劣化しにくく、低コストの耐震補強具１０を組み込んだ、耐震性の高い戸建て住宅用建築物を提供することができる。また、制震機能を発揮する部分に板スプリング積層体１６を使用しているので、制震機能の劣化を低減でき、耐震補強具１０を長年使用することができる。
【００４３】
本発明の耐震補強具１０は、木造建築物に使用できるのはもちろんのこと、鉄筋コンクリート構造、鉄骨構造など様々な構造の建築物に使用できる。その際、木造建築物であれば、板スプリング３０は竹製のものや鋼鉄製のものが、剛性棒材１８は木製のものや鋼鉄製のものが使用できる。鉄筋コンクリート構造や鉄骨構造などの建築物であれば、板スプリング３０は強い弾性力が得られる鋼鉄製のものが、剛性棒材１８は変形しない鋼鉄製のものがよい。
【符号の説明】
【００４４】
１０  耐震補強具
１１  建築構造材
１２  柱
１４  梁
１６  板スプリング積層体
１８  剛性棒材
２０  接続部材
２２  板スプリング積層体が枠体内面に配置される角度
３０  板スプリング
３２  ボルト
３４  ナット
３６  鉄板
４０  棒側部材
４２  板スプリング側部材
４４  上部
４６  下部
４８  軸
５０  穴
５２  ストッパー部材
５４  ガード部材
５６  ストッパー・ガード部材
【図１】
2018044296.tif 000003
【図２】
2018044296.tif 000004
【図３】
2018044296.tif 000005
【図４】
2018044296.tif 000006
【図５】
2018044296.tif 000007
【図６】
2018044296.tif 000008
【図７】
2018044296.tif 000009
【図８】
2018044296.tif 000010